(57)【特許請求の範囲】
【請求項１】
元部側ブーム（５２）に対して先部側ブーム（５４）が平行かつ延び方向に沿って移動自在に配設され、
散布液を散布する複数個のノズル（１２）が、前記元部側ブーム（５２）及び前記先部側ブーム（５４）にその延び方向に沿って適宜間隔で配備され、
前記元部側ブーム（５２）及び前記先部側ブーム（５４）のうち一方のブームにおける所定範囲に配備されたノズル（１２）については少なくとも、散布の実施と中止とを切替えるための開閉機構（１０）と前記開閉機構（１０）を操作する操作部材（２４）とを装備し、
前記元部側ブーム（５２）及び前記先部側ブーム（５４）のうち他方のブームに装備された作動片（５８）が、前記元部側ブーム（５２）からの前記先部側ブーム（５４）の伸び出し時及び引き込み時に前記操作部材（２４）に当接して前記開閉機構（１０）の開閉を切替えるブームスプレーヤにおいて、
前記一方のブームにおいては前記所定範囲の外側のある特定範囲に少なくとも一つ以上の所定範囲外ノズル（１２ａ）が配備され、
前記所定範囲内に配備されたノズル（１２）のうち前記所定範囲外ノズル（１２ａ）に隣接して配備された一つのノズル（１２ｂ）に装備される前記開閉機構（１０）の開及び閉を、前記所定範囲外ノズル（１２ａ）への散布液の供給及び停止にそれぞれ連繋させる連繋手段（Ａ）が備えられることを特徴とするブームスプレーヤ。
【請求項２】
元部側ブーム（５２）に対して先部側ブーム（５４）が平行かつ延び方向に沿って移動自在に配設され、
散布液を散布する複数個のノズル（１２）が、前記元部側ブーム（５２）及び前記先部側ブーム（５４）にその延び方向に沿って適宜間隔で配備され、
前記元部側ブーム（５２）における所定範囲に配備されたノズル（１２）については少なくとも、散布の実施と中止とを切替えるための開閉機構（１０）と前記開閉機構（１０）を操作する操作部材（２４）とを装備し、
前記先部側ブーム（５４）に装備された作動片（５８）が、前記元部側ブーム（５２）からの前記先部側ブーム（５４）の伸び出し時及び引き込み時に前記操作部材（２４）に当接して前記開閉機構（１０）の開閉を切替えるブームスプレーヤにおいて、
前記元部側ブーム（５２）においては前記所定範囲の元部側方向外側のある特定範囲に少なくとも一つ以上の所定範囲外ノズル（１２ａ）が配備され、
前記所定範囲内に配備されたノズル（１２）のうち前記所定範囲外ノズル（１２ａ）に隣接して配備された一つのノズル（１２ｂ）に装備される前記開閉機構（１０）の開及び閉を、前記所定範囲外ノズル（１２ａ）への散布液の供給及び停止にそれぞれ連繋させる連繋手段（Ａ）が備えられることを特徴とするブームスプレーヤ。
【請求項３】
前記連繋手段（Ａ）は、前記一つのノズル（１２ｂ）の前記開閉機構（１０）より下流から分岐して前記所定範囲外ノズル（１２ａ）へ散布液を供給する連通管（６０）であることを特徴とする請求項１又は２記載のブームスプレーヤ。
【請求項４】
前記所定範囲外ノズル（１２ａ）についても前記所定範囲に配備されたノズル（１２）と同様の前記開閉機構（１０）及び前記操作部材（２４）を装備され、前記連繋手段（Ａ）は、前記所定範囲外ノズル（１２ａ）に装備される操作部材（２４）と前記一つのノズル（１２ｂ）に装備される操作部材（２４）とを連動させるリンク（６２）であることを特徴とする請求項１又は２記載のブームスプレーヤ。
【発明の詳細な説明】
【０００１】
【発明の属する技術分野】
この発明は、重複散布を回避するためにブームスプレーヤのスライドブームに連動し多数のノズルを自動的に開閉させる機構に関連して、ノズルのレイアウト上、連動不可能なノズルを連動可能とするブームスプレーヤを提供しようとするものである。
【０００２】
【従来の技術】
スライドブームを有するブームスプレーヤの全体をを示す図７と、この種ブームスプレーヤのスライドブームのノズル装置の概要を、図８ないし図１０によって説明する。
先ず図７において、６４はトラクタ等の機体であって、この機体６４の後部には薬液タンク６６が、さらに薬液タンク６６の後部にはセンタブーム６９が装備される。センタブーム６９の側部には折り畳み可能に格納される一対の薬剤噴霧用ブーム６８，６８が装備されており、そして各側のブーム６８，６８はそれぞれ元部側ブーム５２とこの元部側ブーム５２とほぼ平行に配置され前記元部側ブーム５２の延び方向に沿って移動自在な先部側ブーム５４とを有するスライドブームが形成されている。
【０００３】
すなわち図９に示すように本体側の元部側ブーム５２に対して先部側ブーム５４が、また先部側ブーム５４に対しても更にその先のブーム（図示せず）などが順次ワイヤ等の駆動機構（図示せず）によってスライドしうるようになっている。
先部側ブーム５４に着目してみると、先部側ブーム５４の下面には送液管１４が沿設されており、この送液管１４と連通する多数のノズル１００が適宜間隔を置いて下方に向って突設されている。
【０００４】
前記ノズル１００は、図９に示すように、前記送液管１４の下部にねじ結合されるノズル本体２６に設けられた通路１６中に直径方向に貫通する連通路１８を有するボールバルブ２０を中央に前記連通路１８に連なる穴のあいたパッキンを介して回転可能に配設し、このボールバルブ２０に固定される操作部材２４をノズル本体２６を貫通して側方に突出してなり、また操作部材２４の突出端側には直交状にガイド片２８が装着固定されており、このガイド片２８の周囲において、このガイド片２８を９０度の範囲内で突出遊嵌すべくガイド穴３０を有するプレート３２が一対の座金３４，３４間に回動可能に介在され、かつこのプレート３２の上部に形成した係止片３６の両側に係合する係合端部３８を有する振れコイルばね４０によって常時垂直状態に保持されるようになっている。
【０００５】
この場合、プレート３２は、上端に係止片３６、下端に垂下片４２を有するプレート本体４４に、前記ガイド片２８を９０度の範囲内で回転可能に遊嵌しうるガイド穴３０を穿設されてなる。なおガイド穴３０は操作部材２４の回転中心に関して対称状に形成されている。このように構成されるプレート３２の垂下片４２の外側面にはローラ４６がピン４８をもって装着されており、このローラ４６が元部側（第１段）ブーム５２に穿設されたテーパ状の作動片５８と当接しうるようになっている。
【０００６】
上記のように構成されているノズル開閉装置において、元部側ブーム５２に先部側ブーム５４が引き込まれたときは、図９及び図１０に示すように、ボールバルブ２０は閉鎖状態に保持されており、先部側ブーム５４の伸び出し時に、ローラ４６が作動片５８に当接して、捩りコイルばね４０に抗してローラ４６が跳ね上げられるとともに、プレート３２がガイド片２８と共に、図９において時計方向に任意の角度回転し、操作部材２４を介してボールバルブ２０を開放位置に切り換える。そしてローラ４６と作動片５８との係合が解かれると、捩りコイルばね４０の反撥力によりプレート３２のみが復帰し、ボールバルブ２０は開放状態のままとなる。この状態において、送液管１４の薬液がノズル１２の通路１６、ボールバルブ２０の連通路１８を通って噴霧されるのである。
【０００７】
また先部側ブーム５４が引き込まれるときには、再びローラ４６が作動片５８と係合して前述とは反対にプレート３２を反対方向に回転するとともに、ガイド片２８を変位させて、ボールバルブ２０を閉鎖状態に切り換えることができるのである。
【０００８】
以上に説明したように、前記ノズル開閉装置によれば、互いにスライド可能に連設されるブームのうち、一方に装着されたノズルのボールバルブ２０から側方に突出される操作部材２４の突出端側にほぼ直交状にガイド片２８を装着し、このガイド片２８を９０度の範囲内で案内するプレート３２のガイド穴３０内に遊嵌するとともに、プレートを垂直位置に保持するための捩りコイルばね４０を巻架し、かつプレート３２の一部に、相対変位する相手方すなわち先部側ブーム５４から突設された作動片５８と係合するローラ４６を装着してなるので、ブームの伸び出し時において、ローラ４６と作動片５８とが係合することにより、ボールバルブ２０を開放位置に、また引き込み時には閉鎖位置にそれぞれ切り換えられ、ローラ４６と作動片５８との接触がスムーズにできるので、切換動作を円滑かつ確実に行うことができるのである。すなわちこの点においては従来装置は有効であった。
【０００９】
通常、ブームスプレーヤは機体後部センターに設置されるセンターブームと機体左右もしくは片側のみに設置されるサイドブームにノズルが等間隔に配置されるが、左右に設置されるサイドブームにスライド機構が伴う場合、各ブームを駆動する駆動装置（油圧、電動など）や、サイドブームの全重量を支持する強固なブラケットを必要とするため、サイドブーム元部に広いスペースを要する。
【００１０】
したがって、センターブームとサイドブームを結合する際に、センターブームの両端ノズルとサイドブーム部の元部ブームの第１ノズル（一番元側のノズル）との距離が開き、これを防ぐた第１ノズルをセンターブーム側にのばし、等間隔になるように配列しなければならない。しかしスライド機構を駆動させる駆動装置や強固なブラケットが邪魔となって、センターブーム側にのばしたノズルの、スライドブームに連動した開閉が不可能となる。
【００１１】
【発明が解決しようとする課題】
ところで前述したように、従来のこの種装置においては、ブーム装置にスライド機構が伴う場合、多段式にスライド係合格納される各ブームを駆動する駆動装置を配置するために、サイドブームの元部に広いスペースを要しかつサイドブーム全体の重量を支持する強固なブラケットが必要となるので、スライドブームを構成する各ブームに沿って配設される開閉装置付きノズルのうち、最も元部寄りのものは、ノズルの開閉装置が作動片の移動範囲から外れざるを得ず、常に開放状態を保つことになるので、この間題を解決するのがこの発明の課題であった。
【００１２】
【課題を解決するための手段】
この発明の請求項１に係る発明は、元部側ブーム（５２）に対して先部側ブーム（５４）が平行かつ延び方向に沿って移動自在に配設され、
散布液を散布する複数個のノズル（１２）が、元部側ブーム（５２）及び先部側ブーム（５４）にその延び方向に沿って適宜間隔で配備され、
元部側ブーム（５２）及び先部側ブーム（５４）のうち一方のブームにおける所定範囲に配備されたノズル（１２）については少なくとも、散布の実施と中止とを切替えるための開閉機構（１０）と開閉機構（１０）を操作する操作部材（２４）とを装備し、
元部側ブーム（５２）及び先部側ブーム（５４）のうち他方のブームに装備された作動片（５８）が、元部側ブーム（５２）からの先部側ブーム（５４）の伸び出し時及び引き込み時に操作部材（２４）に当接して開閉機構（１０）の開閉を切替えるブームスプレーヤにおいて、
一方のブームにおいては所定範囲の外側にある特定範囲に少なくとも一つ以上の所定範囲外ノズル（１２ａ）が配備され、
所定範囲内に配備されたノズル（１２）のうち所定範囲外ノズル（１２ａ）に隣接して配備された一つのノズル（１２ｂ）に装備される開閉機構（１０）の開及び閉を、所定範囲外ノズル（１２ａ）への散布液の供給及び停止にそれぞれ連繋させる連繋手段（Ａ）が備えられる。
【００１３】
この発明の請求項２に係る発明は、元部側ブーム（５２）に対して先部側ブーム（５４）が平行かつ延び方向に沿って移動自在に配設され、
散布液を散布する複数個のノズル（１２）が、元部側ブーム（５２）及び先部側ブーム（５４）にその伸び方向に沿って適宜間隔で配備され、
元部側ブーム（５２）における所定範囲に配備されたノズル（１２）については少なくとも、散布の実施と中止とを切替えるための開閉機構（１０）と開閉機構（１０）を操作する操作部材（２４）とを装備し、
先部側ブーム（５４）に装備された作動片（５８）が元部側ブーム（５２）からの先部側ブーム（５４）の延び出し時及び引き込み時に操作部材（２４）に当接して開閉機構（１０）の開閉を切替えるブームスプレーヤにおいて、
元部側ブーム（５２）においては所定範囲の元部側方向外側のある特定範囲に少なくとも一つ以上の所定範囲外ノズル（１２ａ）が配備され、
所定範囲内に配備されたノズル（１２）のうち所定範囲外ノズル（１２ａ）に隣接して配備された一つのノズル（１２ｂ）に装備される開閉機構（１０）の開及び閉を、所定範囲外ノズル（１２ａ）への散布液の供給及び停止にそれぞれ連携させる連携手段（Ａ）が備えられる。．
【００１４】
この発明の請求項３に記載の発明は、請求項１又は２に記載のブームスプレーヤにおいて、連繋手段（Ａ）は、一つのノズル（１２ｂ）の開閉機構（１０）より下流から分岐して所定範囲外ノズル（１２ａ）へ散布液を供給する連通管（６０）である。
【００１５】
この発明の請求項４に記載の発明は、請求項１又は２に記載のブームスプレーヤにおいて、所定範囲外ノズル（１２ａ）についても所定範囲に配備されたノズル（１２）と同様の開閉機構（１０）及び操作部材（２４）を装備され、連繋手段（Ａ）は、所定範囲外ノズル（１２ａ）に装備される操作部材（２４）と一つのノズル（１２ｂ）に装備される操作部材（２４）とを連動させるリンク（６２）である。
【００１６】
【発明の実施の形態】
以下にこの発明の実施の形態について、図１ないし図６に示す実施例によって説明する。なおこの説明において、前記図７ないし図１０において説明した内容と同じ又は同等の部分には同じ符号を付するものとする。
先ず図１ないし図３における開閉機構１０付きノズル１２の構成について説明する。
【００１７】
図２及び図３において、送液管（ノズルパイプ）１４の下部に設けられた通路１６中に直径方向に貫通する連通路１８を有するボールバルブ２０を、中央に前記連通路１８に連なる穴のあいた円板状のパッキン２２，２２をた介して回転可能に配設し、このボールバルブ２０に連通する操作部材２４をノズル本体２６を貫通して側方に突出してなり、また操作部材２４の突出端側には直交状にガイド片２８が装着されており、このガイド２８を９０度の範囲内で案内遊嵌すべくガイド穴３０を有するプレート３２が座金３４，３４間に回動可能に介在され、前記プレート３２の上部に形成された係止片３６の両側に係合する係合端部３８を有する捩りコイルばね４０によって垂直状態すなわち前記ガイド片２８及びボールバルブ２０を開又は閉位置に保持させるようになっている。前記プレート３２の垂下片４２の外側面にはローラ４６がピン４８によって装着されている。
【００１８】
次ぎに図５及び図６に示す実施例において、元部側ブーム５２に対して先部側ブーム５４が平行かつ延び方向に沿って移動自在に配設され、散布液を散布する複数個のノズル１２が、前記元部側ブーム５２及び前記先部側ブーム５４にその伸び方向に沿って適宜間隔で配備され、前記元部側ブーム５２における所定範囲に配備されたノズル１２については少なくとも、散布の実施と中止とを切替えるための開閉機構１０と前記開閉機構１０を操作する操作部材２４とを装備し、前記先部側ブーム５４に装備された作動片５８が、前記元部側ブーム５２からの前記先部側ブーム５４の伸び出し時に前記操作部材２４に当接して前記開閉機構１０の開閉を切替えるものとし、前記元部側ブーム５２においては前記所定範囲の元部側方向外側のある特定範囲に少なくとも一つ以上の所定範囲外ノズル１２ａが配備され、前記所定範囲内に配備されたノズル１２のうち前記所定範囲外ノズル１２ａに隣接して配備された一つのノズル１２ｂに装備される前記開閉機構１０の開及び閉を、前記所定範囲外ノズル１２ａへの散布液の供給及び停止をそれぞれ連繋させる連繋手段Ａが備えられる。
【００１９】
前記先部側ブーム５４には、図５に示すように作動片５８が取付けられており、前記元部側ブーム５２に延設した前記送液管１４に多数取り付けられる前記開閉機構１０付きノズル１２の前記プレート３２に前記先部側ブーム５４の伸び出し時及び引き込み時に前記作動片５８が個々に当接してノズル１２の開閉を行うのである。
【００２０】
上記図５及び図６に示した例では元部側ブーム５２における所定範囲に配設したノズル１２について少なくとも散布の実施と中止とを切替える開閉機構１０を操作する操作部材を設けているが、実際問題としては前記元部側ブーム５２に対して先部側ブーム５４を平行かつ延び方向に沿って移動自在に配設し、散布液を散布する複数個のノズル１２が、前記元部側ブーム５２及び前記先部側ブーム４にその延び方向に沿って適宜間隔で配備し、前記元部側ブーム５２及び前記先部側ブーム５４のうちの一方のブームにおける所定範囲に配備されたノズル１２については少なくとも、散布の実施と中止とを切替えるための開閉機構１０と前記開閉機構１０を操作する操作部材２４とを装備し、前記先部側ブーム５２及び前記先部側ブーム５４のうちの他方のブームに装備された作動片５８が、前記元部側ブーム５２からの前記先部側ブーム５４の伸び出し時及び引き込み時に前記操作部材２４に当接して前記開閉機構１０の開閉を切替え、前記一方のブームにおいては前記所定範囲の外側のある特定範囲に少なくとも一つ以上の所定範囲外１２ａが配備され、前記所定範囲内に配備されたノズル１２のうち前記所定範囲外ノズル１２ａに隣接して配備された一つのノズル１２ｂに装備される前記開閉機構１０の開及び閉を、前記所定範囲外ノズル１２ａへの散布液の供給及び停止にそれぞれ連繋させる連繋手段Ａが備える実施の形態を採用することが可能である。
【００２１】
上記図１の構成の代わりに、図４に示す実施態様では連繋手段Ａは、前記所定範囲外ノズル１２ａの前記開閉機構１０より下流から分岐して前記所定範囲外ノズル１２ａへ散布液を供給する連通管６０である。
【００２２】
前記所定範囲外ノズル１２ａについては図４に示すように前記所定範囲に配備されたノズル１２と同様の前記開閉機構１０及び前記操作部材２４を装備され、前記連繋手段Ａは、前記所定範囲外ノズル１２ａに装備される操作部材２４と前記一つのノズル１２ｂに装備される操作部材２４とを連動させるリンク６２とすることができる。
【００２３】
なお上記の実施例においては元部側ブーム５２とほぼ平行に配置され前記元部側ブーム５２と平行に配置されその延び方向に沿って移動自在な先部側ブーム５４の構成について説明したが、この構成はさらに３段階以上にも拡張して形成することも可能である。
【００２４】
【発明の効果】
この発明は特に折り畳み可能な伸縮ブームを備えるブームスプレーヤにおいて列設される多数のノズルのうち前記伸縮ブームを支持する機体の構造上、基端部のノズルが、このノズルを開閉作動する作動片の移動範囲外に置かれるのに関連して、他の移動範囲内のノズルとの間において連繋手段を介して作動しうるようになるので、この種ノズル開閉装置を備えるブームスプレーヤの作動を確実にするものである。
【図面の簡単な説明】
【図１】この発明の一実施形態の要部の配置図である。
【図２】開閉機構付きノズルの構成を示す底面図である。
【図３】図２に示す部分の一部を示す底面図である。
【図４】この発明の他の実施形態の要部の配置図である。
【図５】前記図１に示す装置の説明図である。
【図６】前記図４に示す装置の説明図である。
【図７】スライドブームを有するブームスプレーヤの全体を示す斜視図である。
【図８】従来例のノズル開閉装置の斜視図である。
【図９】従来例のブーム縮少時のノズルの縦断面図である。
【図１０】図９に示す部分の側面図である。
【符号の説明】
１０  開閉機構
１２  ノズル
１２ａ  作動片の移動範囲外の一つのノズル
１２ｂ  作動片の移動範囲内の一つのノズル
１４  送液管
５２  元部側（第１段）ブーム
５４  先部側（第２段）ブーム
５８  作動片
６０  第２の送液管
６２  リンク
Ａ    連繋手段
【図１】
0003622107.tif 000002
【図２】
0003622107.tif 000003
【図３】
0003622107.tif 000004
【図４】
0003622107.tif 000005
【図５】
0003622107.tif 000006
【図６】
0003622107.tif 000007
【図７】
0003622107.tif 000008
【図８】
0003622107.tif 000009
【図９】
0003622107.tif 000010
【図１０】
0003622107.tif 000011